(57)【要約】      （修正有）【課題】四足バイオニックロボットの人間化制御システム及びその制御方法を提供する。【解決手段】制御センサーと制御処理ユニット６を設置しており、制御処理ユニット６によって対応する制御センサーにおける感応信号Ｋの制御信号Ｃを設定でき、操作者の制御意図をロボット本体に接続された制御ロープによって制御し、操作者の力の大きさ、向きと時間順序が制御センサーに作用して感応信号Ｋを生じさせ、この感応信号Ｋが制御処理ユニット６に送信され、制御処理ユニット６によって操作者の制御意図を読み取り、感応信号Ｋを処理してから、感応信号Ｋの対応する制御信号Ｃを対応する駆動モータ３に出力し、四足シミュレーションロボットに対する制御を実行する。【選択図】図２
2019084670.tif 000002
【特許請求の範囲】
【請求項１】
ロボット本体と、それぞれロボット本体にある四足の運動を制御するための対応する駆動モータを含む四足バイオニックロボットの制御システムであり、
制御ロープ、動作を制御して制御感応ユニットに作用させることに用いられ、
制御感応ユニット、制御ロープの制御動作を感応し、感応した制御ロープの制御動作信号を制御処理ユニットに送信することに用いられ、
制御処理ユニット、各種の感応信号に対応する制御信号を設定し、制御感応ユニットの感応信号を受信するとともに、感応信号を処理し、感応信号の対応する制御信号を対応する駆動モータに出力し、ロボット本体を制御して対応する動作を行うことに用いられ、
前記の制御ロープはロボット本体の表面に接続され、前記の制御感応ユニットの出力側と制御処理ユニットの入力側と接続され、前記の制御処理ユニットの出力側はそれぞれ駆動モータと接続されることを特徴とする。
【請求項２】
前記制御感応ユニットが力ベクトルセンサーであり、前記の制御ロープが力ベクトルセンサーの表面に嵌められ、制御ロープが制御動作を行い、力ベクトルセンサーに作用し、力ベクトルセンサーが制御ロープの制御動作力の向きを感応し、感応信号を制御処理ユニットに送信し、制御処理ユニットが対応する感応信号を処理してから感応信号の対応する制御信号を対応する駆動モータに出力する請求項１に記載の四足バイオニックロボットの制御システム。
【請求項３】
前記の制御感応ユニットはモータ電流センサーであり、前記の電流センサーの数量は駆動モータの数量と一致し、また、それぞれ駆動モータと接続しており、前記の制御ロープはロボット本体の表面に固定され、制御ロープの行った制御動作に生じられたた作用力はロボット本体に作用し、ロボット本体に受けられた力は対応する駆動モータに作用し、力を受けた駆動モータの電流に変化が生じ、モータ電流センサーは駆動モータの電流変化を感応してから、感応信号を制御処理ユニットに送信し、制御処理ユニットは対応する感応信号を処理してから対応する感応信号の制御信号を対応する駆動モータに出力する請求項１に記載の四足バイオニックロボットの制御システム。
【請求項４】
請求項１に記載の四足バイオニックロボットの制御システムに応用される制御方法であり、その特徴は下記のステップを含むことにある。
S１.制御処理ユニットによって各種感応信号の対応する制御信号を設定すること、
S２.制御ロープによってロボット本体に対し、制御動作を行うこと、
S３.制御感応ユニットは制御ロープからの制御動作を感応でき、また、感応した制御ロープの制御動作信号を制御処理ユニットに送信すること、
S4.制御処理ユニットは制御感応ユニットからの感応信号を受信し、感応信号を処理し、また、感応信号の対応する制御信号を対応する駆動モータに出力し、ロボット本体を制御して対応する動作を行わせること。
【請求項５】
前記ステップS３の中で、制御感応ユニットは力ベクトルセンサーであり、制御ロープは制御動作を行い、力ベクトルセンサーに作用し、力ベクトルセンサーは制御ロープにおける制御動作力の向きを感応し、また、感応信号を制御処理ユニットに送信する請求項４に記載の四足バイオニックロボットの制御システム。
【請求項６】
前記ステップS３の中で、制御感応ユニットはモータ電流センサーであり、前記のモータ電流センサーの数量は駆動モータの数量と一致し、また、それぞれ駆動モータと接続している。制御ロープの行った制御動作は作用力を生じさせ、ロボット本体に作用し、ロボット本体は力を受けて、対応する駆動モータに作用し、力を受けた駆動モータの電流に変化を生じさせ、モータ電流センサーは駆動モータ電流の変化を感応し、また、感応信号を制御処理ユニットに送信する請求項４に記載の四足バイオニックロボットの制御システム。
【発明の詳細な説明】
【技術分野】
【０００１】
本発明は四足ロボットの制御技術分野に及んでおり、特に四足バイオニックロボットの人間化制御システム及びその制御方法を指す。
【背景技術】
【０００２】
四足シミュレーションロボットは四足生物の構造を模倣するロボットであり、その体積と重量が比較的に真実の四足生物に近く、その応用分野がますます広くなってきており、軍事、生活サービス、災害救援、娯楽などの分野に及び、人類の生活と発展に大きな便利さをもたらしている。
【０００３】
目下、四足シミュレーションロボットの制御は主にリモートコントロールモードと自主制御モードを含んでいる。リモートコントロールの場合、別に専用のリモコンを配置すべきであり、操作に難しく、間違い易く、操作を習うために多くの時間を費やすほか、その操作はタイムリーではなく、直感ではない。また、自主制御モードの場合、相応する制御プログラムを設定することによって、ロボット自身より決定を下し、自ら走行、停止、速度、曲がり等を決める。この制御モードは大きい技術開発費用が必要であり、成熟した技術もなく、応用が普及できなく、誤って自主決定した場合に、比較的大きい危険がある。
【発明の開示】
【発明が解決しようとする課題】
【０００４】
前記の問題点を解決するため、本発明は四足バイオニックロボットの人間化制御システム及びその制御方法を提供し、人間とペットのインタアクティブ習慣をアナログした上に、制御方法が簡単であり、使いやすく、しかもシステムの構造が簡単であると同時に、コストが低いため、普及しやすい。
【課題を解決するための手段】
【０００５】
前記の目的を実現するため、本発明の提案した実施形態の一つは下記の通りである：ロボット本体と、それぞれロボット本体に装着された四足の運動を制御する駆動モータを含む四足バイオニックロボットの制御システムであり、また、次のようなものを含んでいる。
【０００６】
制御ロープ、動作を制御して制御感応ユニットに作用させることに用いられる。
【０００７】
制御感応ユニット、制御ロープの制御動作を感応し、感応した制御ロープの制御動作信号を制御処理ユニットに送信することに用いられる。
【０００８】
制御処理ユニット、各種感応信号の対応する制御信号を設定し、制御感応ユニットの感応信号を受信するとともに、感応信号を処理し、感応信号の対応する制御信号を対応する駆動モータに出力し、ロボット本体を制御して対応する動作を行うことに用いられる。
【０００９】
前記の制御ロープはロボット本体の表面に接続され、前記の制御感応ユニットの出力側と制御処理ユニットの入力側と接続され、前記の制御処理ユニットの出力側はそれぞれ駆動モータと接続される。
【００１０】
前記の目的を実現するため、本発明の提案した実施形態のもう一つは下記の通りである。四足バイオニックロボットの制御方法であり、下記のステップを含んでいる
【００１１】
S１.制御処理ユニットによって各種感応信号の対応する制御信号を設定すること。
【００１２】
S２.制御ロープによってロボット本体に対し、制御動作を行うこと。
【００１３】
S３.制御感応ユニットは制御ロープからの制御動作を感応でき、また、感応した制御ロープの制御動作信号を制御処理ユニットに送信すること。
【００１４】
S4.制御処理ユニットは制御感応ユニットからの感応信号を受信し、感応信号を処理し、また、感応信号の対応する制御信号を対応する駆動モータに出力し、ロボット本体を制御して対応する動作を行わせること。
【００１５】
本発明の有利な効果は下記の通りである。本発明では制御動作を感応するための制御センサーが設けられており、また、制御処理ユニットが設けられているため、制御処理ユニットによって対応する制御センサーにおける感応信号の制御信号を設定でき、操作者の制御意図をロボット本体に接続された制御ロープによって制御し、操作者の力の大きさ、向きと時間順序が制御センサーに作用して感応信号を生じさせ、この感応信号が制御処理ユニットに送信され、制御処理ユニットによって操作者の制御意図を読み取り、感応信号を処理してから、感応信号の対応する制御信号を対応する駆動モータに出力し、四足シミュレーションロボットに対する制御を実行することになる。これにより、１本の制御ロープで既存ロボットにおける複雑な操作を置き換えることができ、人間とペットとのインタラクティブ習慣をアナログし、制御方法が簡単であり、使いやすく、しかもシステムの構造が簡単であると同時に、コストが低いため、普及しやすく、ロボットと人間とのインタラクティブ効果がより直接になる。
【図面の簡単な説明】
【００１６】
【図１】本発明の実施形態の制御方法を示す全体図である。
【図２】本発明の実施形態の制御システム実施例１のブロック図である。
【図３】本発明の実施形態の制御システム実施例２のブロック図である。
【発明を実施するための形態】
【００１７】
以下に本発明の具体的な実施形態をより詳細に図面を参照して説明する。
【実施例１】
【００１８】
図１と図２に示すように、本実施例の四足バイオニックロボットの制御システムは、ロボット本体１、ロボット本体１にある四足２の運動を制御するためのそれぞれ対応する駆動モータ３、制御ロープ４、制御感応ユニット５、制御処理ユニット６を備える制御システムである。その中で、制御ロープ４はロボット本体１の表面に接続され、前記の制御感応ユニット５の出力側と制御処理ユニット６の入力側と接続され、前記の制御処理ユニット６の出力側はそれぞれ駆動モータ３と接続される。
【００１９】
その中で、制御感応ユニット５は力ベクトルセンサーであり、その具体的な制御方法は下記の通りである
【００２０】
S１.先に制御処理ユニット６によって各種の感応信号Ｋの対応する制御信号Ｃを設定する。
【００２１】
S２.制御ロープ４によってロボット本体１に対し、制御動作を行う。
【００２２】
S３.制御ロープ４からの制御動作を感応し、また、感応した制御ロープ４の制御動作信号を力ベクトルセンサーに送信し、力ベクトルセンサーより操作者の制御ロープ４に対する引張りの大きさと向きを感応し、対応する感応信号Ｋを得ることができ、例えば、上へ引っ張る場合、立つことを示す感応信号Ｋであり、前へ引っ張る場合、進むことを示す感応信号Ｋであり、後ろへ引っ張る場合、止まることを示す感応信号Ｋであり、左または右へ引っ張る場合、左へ曲がるまたは右へ曲がることを示す感応信号Ｋであり、力を入れて引っ張る場合、速やかな動作で実行することを示す感応信号Ｋであり、軽く引っ張る場合、緩やかな動作で実行することを示す感応信号Ｋである。また、これらの感応信号Ｋを制御処理ユニット６に送信する。
【００２３】
S4.制御処理ユニット６は制御感応ユニット５からの感応信号Ｋを受信し、感応信号Ｋを処理し、また、感応信号Ｋに対応する制御信号Ｃを対応する駆動モータ３に出力し、ロボット本体１を制御して対応する動作を行わせ、ロボット本体１に対する制御を実現する。
【００２４】
さらに好ましい実施形態として、ロボット本体１に対するより正しい制御を実現するため、制御ロープ４を直接に対応する力ベクトルセンサーに締めることができ、制御ロープ４が直接に力ベクトルセンサーに作用することによって、感応の精度を高める。
【００２５】
本実施形態により、１本の制御ロープ４で既存ロボットにおける複雑な操作を置き換えることができ、人間とペットとのインタラクティブ習慣をアナログし、制御方法が簡単であり、使いやすく、しかもシステムの構造が簡単であると同時に、コストが低いため、普及しやすく、ロボットと人間とのインタラクティブ効果がより直接になる。
【実施例２】
【００２６】
図１と図３に示すように、本実施例２と実施例１の異なる所は下記の通りである。制御感応ユニット２０５はモータ電流センサーであり、モータ電流センサー２０５の数量は駆動モータ２０３の数量と一致し、また、それぞれ駆動モータ２０３と接続しており、制御ロープ４の行った制御動作に生じられた作用力はロボット本体１に作用し、ロボット本体１に受けられた力は対応する駆動モータ２０３に作用し、力を受けた駆動モータ２０３の電流に変化が生じ、モータ電流センサー２０５は駆動モータ２０３の電流変化を感応し、また、感応信号Ｋを制御処理ユニット２０６に送信する。
【００２７】
さらに好もしい実施形態として、制御ロープ４はロボット本体１に作用し、また、ロボット本体１によって具体的な駆動モータ２０３に作用し、電流変化信号を起こし、モータ電流センサー２０５より感応することによって、間接的に操作者の制御ロープ４に対する引張りの大きさと向きを獲得するものであり、ロボット本体１に対するより正しい制御を実現するため、制御ロープ４は四つの駆動モータ２０３の間にある中心位置に設けられ、操作者の引張りの大きさと向きをより均一にさせ、感応の精度を高める。
【００２８】
前記の実施例はただ本発明の好ましい実施例について述べられたものであり、本発明の範囲はこれらに限定されるものではない。本発明の設計精神を離脱しない限り、当該分野の普通技術者が本発明の実施形態について行う各種変形と改良は全部本発明の権利請求書に確定された保護範囲内に属するべきである。
【図１】
2019084670.tif 000003
【図２】
2019084670.tif 000004
【図３】
2019084670.tif 000005